(57)【特許請求の範囲】
【請求項１】
桁の横断方向に連設した多数の支柱上に構築されるコンクリート受け梁を、受け梁長手方向に分割して各支柱上に載せる長さのプレキャストコンクリートブロックとし、該分割された各プレキャストコンクリートブロックは支柱とモルタルで固定する連結孔を備えると共に、隣接ブロック相互間の連結部に、鉄筋を連結してコンクリートを打設するＵ字形の空所を設け、前記分割した各プレキャストコンクリートブロックを各支柱上に載置し、受け梁長手方向にＰＣ鋼材を挿通してプレストレスを導入して前記分割されたプレキャストコンクリートブロックを一体の受け梁とし、該受け梁列間に桁をかけ渡し、前記Ｕ字形の空所及び受け梁上面にコンクリートを同時に施工することを特徴とするプレキャストコンクリート受け梁を用いた桁の架設方法。
【発明の詳細な説明】
【０００１】
【発明の属する技術分野】
本発明は、桟橋、橋梁、その他の構造物の支柱上に構築され、桁を載置するコンクリート受け梁を用いた桁の架設方法に関する。
【０００２】
【従来の技術】
例えばＰＣ桁を横に並べて受け梁間に架け渡すＰＣ桟橋は、次のように構築される。すなわちＰＣ桟橋は、ＰＣ桁のスパンごとに施工された多数の基礎杭（支柱）の頭部に受け梁を形成する型枠を取付け、この型枠内に鉄筋を組立てた後コンクリートを打設して受け梁を築造し、養生期間を経て強度が発現した後に、この受け梁上にＰＣ桁の両端部を載置して構築される。このようなコンクリート受け梁を現場で製造することは、一般に材料運搬手段などに多くの工数を要するほか、足場や型枠その他の架設、撤去等に多大の手間を要する。このため、作業の簡素化、コストダウンが望まれている。
【０００３】
【発明が解決しようとする課題】
本発明は、上記問題点を解決するために、従来技術に改善を施し、受け梁のコンクリートをプレキャストコンクリートとし、その質量を低減して運搬、架設作業を容易にし、架設工期の短縮を可能にしたコンクリート受け梁を用いた桁の架設方法を提供することを目的とするものである。
【０００４】
【課題を解決するための手段】
本発明は、上記問題点を解決するためになされたもので、その技術手段は、桁の横断方向に連設した多数の支柱上に構築されるコンクリート受け梁を、受け梁長手方向に分割して各支柱上に載せる長さのプレキャストコンクリートブロックとし、該分割された各プレキャストコンクリートブロックは支柱とモルタルで固定する連結孔を備えると共に、隣接ブロック相互間の連結部に、鉄筋を連結してコンクリートを打設するＵ字形の空所を設け、前記分割した各プレキャストコンクリートブロックを各支柱上に載置し、受け梁長手方向にＰＣ鋼材を挿通してプレストレスを導入して前記分割されたプレキャストコンクリートブロックを一体の受け梁とし、該受け梁列間に桁をかけ渡し、前記Ｕ字形の空所及び受け梁上面にコンクリートを同時に施工することを特徴とするプレキャストコンクリート受け梁を用いた桁の架設方法である。
【０００５】
本発明は受け梁を支柱ごとに分割されたプレキャストコンクリートブロック製とし、これらのブロックの孔を各基礎杭（支柱）の頭部に係合させ、この孔に速硬性の無収縮モルタルもしくは膨張モルタルを注入してブロックを支柱に固定する。前記プレキャストコンクリートブロックは、受け梁長手方向に多数個のブロックを一体に連結してプレストレスを導入するＰＣ鋼材挿通孔を備えている。上記のブロックを支柱に固定する杭頭処理後、強度が発現した後、ＰＣ鋼材によってプレストレスを導入することによって、高強度のコンクリート受け梁を容易に製造することができ、その後、直ちに桁を架設することができ好適である。上記プレキャストコンクリートブロックは、隣接ブロック相互間の連結部にＵ字形の空所を設け、この空所内で隣接ブロック相互の鉄筋を連結する連結鉄筋を施工してコンクリートを打設して結合する。ＰＣ鋼材によって受け梁にプレストレスを導入する場合、このコンクリート打設は、上述のように、桁を載置した後、桁間に打設するコンクリートと同時に後施工することができ、全体の施工工期短縮に寄与する。
【０００６】
上記プレキャストコンクリート受け梁を用いた桁の好適な架設方法によれば、現場コンクリートの打設を後刻まとめて行うことができ、工期の大幅な短縮を可能にし、信頼性の高い工事を迅速に施工することができる。
【０００７】
【発明の実施の形態】
以下図面を参照して本発明の実施の形態を説明する。
【０００８】
先ず従来技術について図４〜図８を参照して説明する。図４は従来の受け梁１０を示す説明図である。連設した多数の鋼管杭などの基礎杭（支柱）１０１の上部に基礎杭１０１の頭部を連結する受け梁１０を構築し、この受け梁１０上に支承１０２を載置し、この支承１０２上にＰＣ桁１０４を架け渡す。図４ではＰＣ桁１０４の他端側は省略されているが、同様の受け梁によって支持されている。ＰＣ桁１０４は多数本が並設されており、立設したＰＣ桁相互間には桁間部横組工１０５が配設されており、横組工ＰＣケーブル工１０６によって横締めされている。受け梁１０上には連結工１０３が施工され、ＰＣ桁１０４の長手方向相互間を連結している。１０７はＰＣ桁上の舗装を示すものである。
【０００９】
図４に示す受け梁の施工工程を図５〜図８に示した。図５に示すように、基礎杭１０１の頭部近傍にブラケット１１１を取付け、その上に型枠１１２を組立てる。必要な鉄筋１１３を配設し、型枠１１２内にコンクリートを打設する。
【００１０】
図６はコンクリート１１４が硬化し、型枠１１２、ブラケット１１１を取外した状態を示している。コンクリート１１４中には鉄筋１１３が埋設されると共に一部はコンクリートから上方に露出している。次に、図７に示すように、コンクリート１１４上に支承１０２が配設され、その上に橋桁１０４が載置される。次いで、図８に示すように、橋桁１０４上部にコンクリート１１５を打設してＰＣ桟橋が完成する。このような従来の受け梁構築技術では、施工手間が掛かり、施工期間が長期に亘り、作業能率も低い。
【００１１】
図１〜図３は本発明の実施例を示す説明図である。図１は実施例の受け梁１０の一部を示す斜視図である。本発明のコンクリート受け梁１０は、支柱１０１上に構築されるコンクリート受け梁１０を、長さ方向を支柱（基礎杭）１０１ごとに分割したプレキャストコンクリートブロックに形成されている。このプレキャストコンクリート製のブロックからなる受け梁１０は、それぞれ、支柱１０１との連結部である円筒形の空所１１及び隣接受け梁との連結部をなすＵ字形の空所１３を備えている。また、上方に突設した鉄筋１２、空所１３内に突出した鉄筋１４を備えている。さらに、受け梁の長手方向を緊張するＰＣ鋼材挿通孔２１を備えている。
【００１２】
受け梁の一般的な寸法は、例えば、横２ｍ×縦１．５ｍ×長さ１２ｍ程度であるが、このような受け梁の全断面部材では、質量が約９０ｔ程度と重くなり、プレキャスト製品とすると、運搬や架設重機に制限されてしまう。
【００１３】
本発明の受け梁１０は、各支柱１０１上に載せるプレキャストコンクリートブロックに分けて質量の軽減を図り、さらに、これらのコンクリートブロックを受け梁長手方向のＰＣ鋼材で一体化するようにした。しかしながらブロック目地部に貫通するＰＣ鋼材だけでは目地部のせん断力に対抗するには不充分であるため鉄筋が必要となる。そこでプレキャストコンクリートブロックの隣接ブロックとの接合部には、Ｕ字形の空所１３を形成し、このＵ字形の空所１３内に鉄筋１４を配置した。この空所１３を設けることによって、さらに、個々の受け梁ブロックの質量低減を図ることを可能にした。この低減により例えば分割された受け梁ブロックの質量を２０ｔ程度削減することができ、作業性が向上する。
【００１４】
図２は受け梁構築作業を示す説明図である。支柱１０１の上端近傍にブラケット３１を取付け、その上に分割された受け梁１０を載置し、支柱１０１と結合するための円筒形の空所１１（図１参照）にコンクリート３２を打設して支柱１０１と受け梁１０を一体化する。次いで、分割された隣接する受け梁１０同士の突き合わせ部のＵ字形の空所１３内に、隣接する突出鉄筋１４同士を連結する補助鉄筋３３を添設し、コンクリート３４を打設する。
【００１５】
図３は受け梁１０の上にＰＣ桁１００を載置した後、受け梁１０上に受け梁内コンクリート３４および受け梁上コンクリート４１を同時にまとめて打設する工程を示す説明図である。受け梁１０は、ＰＣ鋼材挿通孔２１にＰＣ鋼材を挿通し、受け梁１０の長手方向にプレストレスを導入して受け梁構築を完了している。受け梁１０の構築後、受け梁１０上にＰＣ桁１００を架設し、その後、受け梁１０の上面に突出させてある鉄筋１２にスターラップ鉄筋４２を配置し、受け梁内コンクリート３４及び受け梁上コンクリート４１を打設してＰＣ桁１００同士の連結部を構築する。その後、舗装等を施すことは従来と同様である。
【００１６】
【発明の効果】
本発明のコンクリート受け梁は、以上のように分割したプレキャストコンクリートブロックで構成されているので、質量が小さく大型の重機を必要とせず、現場作業を簡略化することができ、またプレストレスを導入するので強度も高く、受け梁の構築工期の短縮、工数の削減が可能となり、寄与するところが大である。
【図面の簡単な説明】
【図１】実施例の斜視図である。
【図２】実施例の架設工程の説明図である。
【図３】実施例の架設工程の説明図である。
【図４】従来例の斜視図である。
【図５】従来例の施工工程の説明図である。
【図６】従来例の施工工程の説明図である。
【図７】従来例の施工工程の説明図である。
【図８】従来例の施工工程の説明図である。
【符号の説明】
１０    受け梁
１１    円筒形の空所
１２、１４    鉄筋
１３    Ｕ字形の空所
２１    ＰＣ鋼材挿通孔
３１    ブラケット
３２、３４    コンクリート
３３    補強鉄筋
４１    コンクリート
４２    スターラップ鉄筋
１００    ＰＣ桁
１０１    基礎杭（支柱）
１０２    支承
１０３    連結工
１０４    ＰＣ桁
１０５    横組工
１０６    ケーブル工
１０７    舗装
１１１    ブラケット
１１２    型枠
１１３    鉄筋
１１４、１１５    コンクリート
【図１】
0003660647.tif 000002
【図２】
0003660647.tif 000003
【図３】
0003660647.tif 000004
【図４】
0003660647.tif 000005
【図５】
0003660647.tif 000006
【図６】
0003660647.tif 000007
【図７】
0003660647.tif 000008
【図８】
0003660647.tif 000009